(57)【特許請求の範囲】
【請求項１】
壁面に沿って吊り下げられ少なくとも昇降する昇降体を前記壁面に平行かつ鉛直にガイドする仮設ガイドレールの取付金具であって、
前記壁面に取り付ける壁面固定部材に、位置調整部を介して前記壁面と平行な面上で位置調整可能に取り付けられる取付金具基板と、この取付金具基板に垂直に突き出して固設される金具固定軸部材と、この金具固定軸部材に回動位置を調整して取り付けられて固定されるとともに、前記仮設ガイドレールを挟んで固定するレール固定部材とからなり、
複数の前記壁面固定部材の配設位置にかかわらず前記壁面と平行な面上で位置調整された前記取付金具基板を介して前記金具固定軸部材を所望の鉛直線上に配設し、前記金具固定軸部材に固定される複数の前記レール固定部材を前記金具固定軸部材周りの回動で位置調整し、前記仮設ガイドレールを直線上に配設して締め付けて固定可能に構成してなることを特徴とする仮設ガイドレールの取付金具。
【請求項２】
前記壁面固定部材が、壁面に打ち込まれるアンカー部材または壁面の一部を挟んで固定されるジャッキベースであることを特徴とする請求項１記載の仮設ガイドレールの取付金具。
【請求項３】
前記取付金具基板に設けられる位置調整部を、長孔または複数の取付孔で構成してなることを特徴とする請求項１または２記載の仮設ガイドレールの取付金具。
【発明の詳細な説明】
【技術分野】
【０００１】
この発明は仮設ガイドレールの取付金具に関し、作業用ゴンドラなどの昇降体で壁面に沿って昇降しながら作業を行う場合のゆれなどを防止する仮設ガイドレールを、アンカーボルトと鉄筋などとの干渉を防止したり、ジャッキベースが傾斜部分などで傾くことがあってもこれらの影響を受けずに直線上に簡単に仮設できるようにしたもので、特に既設のガイドレールなどが設置してないマンションなどの集合住宅での作業に好適なものである。
【背景技術】
【０００２】
建築物などにおける窓清掃や外壁面の保守点検作業などを効率的に行う場合に、仮設足場を設置して作業を行うのに替え、建築物の上部から吊りロープを垂下して設け、この吊りロープを介して、いわゆるゴンドラと称する有人作業用ケージなどの昇降体を昇降可能に吊り下げて仮設し、この作業用ケージに作業者が搭乗して作業を行うようにする仮設ゴンドラ装置を用いることが行なわれている。  
このような仮設ゴンドラ装置による作業では、昇降体である作業用ケージが吊りロープで吊り下げられるため揺れが生じ、壁面に対する作業に伴う反力により揺れが助長され、作業がやり難い。
【０００３】
そこで、高層ビルなどでは、予めビルを構築する際に壁面にガイドレールを設置しておき、作業用ケージに設けたガイドローラをガイドレールに沿って転動させて昇降することで揺れを防止することが行なわれる場合も多いが、中低層ビルやマンションなどの集合住宅では、ガイドレールが設置されていない場合も多く、例えば特許文献1に開示されているような壁面に吸着させる真空吸着パッドなどを用いて仮設ゴンドラ装置の昇降体である有人作業ケージとワイヤロープなどで連結することで、揺れを防止することが行なわれている。
【先行技術文献】
【特許文献】
【０００４】
【特許文献１】実開平５―３０３３８号公報
【発明の概要】
【発明が解決しようとする課題】
【０００５】
ところが、建築物の壁面に吸着させる真空吸着パッドを用いて作業用ケージのゆれを防止する場合には、これらの間を連結するワイヤロープを長くすると、作業用ケージの揺れを有効に防止することができなくなり、このワイヤロープを短くして揺れを防止しやすくしたり、特許文献１のようにアーム機構とすると、真空吸着パッドを吸着させた状態で作業できる範囲が限定され、たびたび真空吸着パッドの盛り替えをしなければならず、作業効率が悪い。
【０００６】
一方、ガイドレールを壁面に仮設しようとすると、ガイドレールを取り付ける金具を固定するためのアンカーボルトが鉄筋と干渉し、所定の位置に打ち込むことができず、打ち込むことができる場所を探す必要があるなど簡単にガイドレールを設置することができないという問題がある。また、アンカーボルトに替え、ねじジャッキなどで壁面の一部を挟んで金具を固定する場合には、階段部分など壁面の一部が傾斜していると、金具も傾斜して固定され、傾斜の影響でガイドレールを所定の位置に簡単に設置することができないという問題もある。
【０００７】
この発明は、上記従来技術が有する課題に鑑みてなされたもので、アンカーボルトと鉄筋などとが干渉したり、ジャッキベースが傾斜部分などで傾いても直線上にガイドレールを簡単に仮設して揺れを防止しながら作業することができる仮設ガイドレールの取付金具を提供しようとするものである。
【課題を解決するための手段】
【０００８】
上記課題を解決するため、この発明の請求項１にかかる仮設ガイドレールの取付金具は、壁面に沿って吊り下げられ少なくとも昇降する昇降体を前記壁面に平行かつ鉛直にガイドする仮設ガイドレールの取付金具であって、前記壁面に取り付ける壁面固定部材に、位置調整部を介して前記壁面と平行な面上で位置調整可能に取り付けられる取付金具基板と、この取付金具基板に垂直に突き出して固設される金具固定軸部材と、この金具固定軸部材に回動位置を調整して取り付けられて固定されるとともに、前記仮設ガイドレールを挟んで固定するレール固定部材とからなり、複数の前記壁面固定部材の配設位置にかかわらず前記壁面と平行な面上で位置調整された前記取付金具基板を介して前記金具固定軸部材を所望の鉛直線上に配設し、前記金具固定軸部材に固定される複数の前記レール固定部材を前記金具固定軸部材周りの回動で位置調整し、前記仮設ガイドレールを直線上に配設して締め付けて固定可能に構成してなることを特徴とするものである。
【０００９】
この発明の請求項２にかかる仮設ガイドレールの取付金具は、請求項１記載の構成に加え、前記壁面固定部材が、壁面に打ち込まれるアンカー部材または壁面の一部を挟んで固定されるジャッキベースであることを特徴とするものである。
【００１０】
この発明の請求項３にかかる仮設ガイドレールの取付金具は、請求項１または２記載の構成に加え、前記取付金具基板に設けられる位置調整部を、長孔または複数の取付孔で構成してなることを特徴とするものである。
【発明の効果】
【００１１】
この発明の請求項１にかかる仮設ガイドレールの取付金具によれば、壁面に沿って吊り下げられ少なくとも昇降する昇降体を前記壁面に平行かつ鉛直にガイドする仮設ガイドレールの取付金具であって、前記壁面に取り付ける壁面固定部材に、位置調整部を介して前記壁面と平行な面上で位置調整可能に取り付けられる取付金具基板と、この取付金具基板に垂直に突き出して固設される金具固定軸部材と、この金具固定軸部材に回動位置を調整して取り付けられて固定されるとともに、前記仮設ガイドレールを挟んで固定するレール固定部材とからなり、複数の前記壁面固定部材の配設位置にかかわらず前記壁面と平行な面上で位置調整された前記取付金具基板を介して前記金具固定軸部材を所望の鉛直線上に配設し、前記金具固定軸部材に固定される複数の前記レール固定部材を前記金具固定軸部材周りの回動で位置調整し、前記仮設ガイドレールを直線上に配設して締め付けて固定可能に構成してなるので、壁面固定部材を打ち込む場合に鉄筋などと干渉したり、壁面固定部材が傾斜部分で傾く場合でも取付金具基板を位置調整部で位置を調整して取り付けることができ、この取付金具基板を介してレール固定部材を固定することおよびこの取付金具基板の金具固定軸部材に回動可能にレール固定部材を取り付けることで、複数のレール固定部材に仮設ガイドレールを直線上に取り付けることができ、この仮設ガイドレールで揺れを防止しながら作業することができる。
【００１２】
この発明の請求項２にかかる仮設ガイドレールの取付金具によれば、前記壁面固定部材が、壁面に打ち込まれるアンカー部材または壁面の一部を挟んで固定されるジャッキベースであるので、アンカー部材の打ち込み位置のずれなどやジャッキベースの傾きなどがあっても複数の取付金具基板を位置調整して取り付けることができ、この取付金具基板の金具固定軸部材にレール固定部材を介して仮設ガイドレールを取り付けることで、この仮設ガイドレールを直線上に取り付けて揺れを防止しながら作業することができる。
【００１３】
この発明の請求項３にかかる仮設ガイドレールの取付金具によれば、前記取付金具基板に設けられる位置調整部を、長孔または複数の取付孔で構成してなるので、位置調整部としての長孔や複数の取付孔によって簡単に取付位置を調整して取付金具基板を取り付けることができ、この取付金具基板の金具固定軸部材にレール固定部材を介して仮設ガイドレールを取り付けることで、この仮設ガイドレールを直線上に取り付けることができ、この仮設ガイドレールで揺れを防止しながら作業することができる。
【図面の簡単な説明】
【００１４】
【図１】この発明の仮設ガイドレールの取付金具の一実施の形態にかかる壁面作業用の作業ケージを備えるゴンドラ装置に適用した全体の概略側面図である。
【図２】この発明の仮設ガイドレールの取付金具の一実施の形態にかかる壁面作業用の作業ケージを備えるゴンドラ装置に適用した全体の概略正面図である。
【図３】この発明の仮設ガイドレールの取付金具の一実施の形態にかかる壁面作業用の作業ケージを備えるゴンドラ装置に適用した拡大した概略側面図および概略平面図である。
【図４】この発明の仮設ガイドレールの取付金具の一実施の形態にかかる壁面作業用の作業ケージを備えるゴンドラ装置に適用した概略斜視図および仮設ガイドレールの設置状態の説明である。
【図５】この発明の仮設ガイドレールの取付金具の他の一実施の形態にかかる壁面作業用の作業ケージを備えるゴンドラ装置に適用した拡大した概略側面図および概略平面図である。
【図６】この発明の仮設ガイドレールの取付金具の他の一実施の形態にかかる壁面作業用の作業ケージを備えるゴンドラ装置に適用した仮設ガイドレールの設置状態の説明である。
【発明を実施するための形態】
【００１５】
以下、本発明を実施するための形態について、図面を参照して詳細を説明する。  
この仮設ガイドレールの取付金具２０は、例えば図１および図２に示す壁面作業用のゴンドラ装置１０でのガイドレール１１を壁面に固定するためのものであり、壁面に取り付ける壁面固定部材としてアンカーボルトを用いる場合の鉄筋との干渉を防止できるようにしたり、壁面固定部材として壁面の一部を挟んで固定するジャッキベースを傾斜部分に取り付ける場合のジャッキベースの傾斜の影響を受けずにガイドレール１１を固定できるようにするものである。  
壁面作業用のゴンドラ装置１０では、建築物１の屋上２などの上部から吊下げたワイヤロープ３を介して昇降体である作業用ケージ４を昇降させ、作業用ケージ４内から外壁の清掃や保守、あるいは窓の清掃など壁面５に対する作業を行う場合において、作業用ケージ４などの昇降体の揺れを防止する必要があり、壁面５の作業用ケージ４の１箇所での作業範囲に、たとえば２本のガイドレール１１を仮設するとともに、作業用ケージ４に設けた左右１対のガイドローラ１２を仮設したガイドレール１１に装着（図示例では、各ガイドレールに上下二組のガイドローラを装着してある。）して昇降させ、壁面に対する左右および前後の揺れを防止するようガイドする。
【００１６】
なお、この壁面作業用のゴンドラ装置１０では、屋上から垂下するワイヤロープ３の支持をカウンタウエイト６を備えた台車式支持装置７で行い、作業用ケージ４内にエンドレス方式の巻上機８を設けて昇降させるように構成した場合を図示したが、この形式のゴンドラ装置に限らず、屋上側にドラム方式など巻上機を備えて昇降するものや台車式に替え、固定式の支持装置でワイヤロープを支持するものなどにも適用でき、昇降体も有人作業用のケージに限らず、自動作業装置などであっても良い（自動作業装置では、ガイドレールの仮設の際に有人作業ケージを必要とする）。
【００１７】
この壁面作業用ゴンドラ装置１０での作業対象となる壁面５への仮設ガイドレール１１の固定のための取付金具２０は、図３および図４に示すように、取付金具基板２１を備えており、この取付金具基板２１を壁面に固定するため壁面固定部材２２が使用され、例えばアンカーボルトや後述するジャッキベースなどが用いられる。
【００１８】
取付金具２０の取付金具基板２１は、矩形の金属板で構成され、長手方向両端部に長手方向に沿う長孔２３ａ，２３ａが形成されて位置調整部２３を構成しており、アンカーボルト２２ａ，２２ａに挿通して固定する場合に固定位置を調整できるようにしてある。そして、この取付金具基板２１の長手方向中心部には、金具固定軸部材２４を構成する金具取付ボルトが裏面から貫通して垂直に突出すように配置され、座ぐり部により裏表面と面一となるように溶接・仕上げで固設してある。  
この取付金具基板２１に位置調整部２３を設けることにより、図４（ｂ）に示すように、既設の建築物１の壁面５の場合のように、鉄筋とアンカーボルト２２ａが干渉するため斜め上方にずらして打ち込む必要があっても位置調整部２３の長孔２３ａ，２３ａによって取付金具基板２１の長手方向中心部の金具取付ボルト２４を所定位置Ｌ（アンカーボルトをずらさない場合と同一の位置、あるいは仮設ガイドレール１１を直線上に配置するための位置）に設定することができる。
【００１９】
このような取付金具基板２１の所定位置に設置される金具固定軸部材２４には、仮設ガイドレール１１を両側から挟んで固定するレール固定部材２５を介して、例えばＨ型鋼で構成したガイドレール１１の基端フランジ部１１ａを両側から挟んで固定するとともに、先端フランジ部１１ｂをガイドレールとして、ガイドローラ１２が転動するできるようにする。  
このレール固定部材２５は、互いに逆向きのＦ字状の１対の固定ブロック２５ａ，２５ｂで構成され、一方の固定ブロック２５ａには、金具固定軸部材を構成する金具取付ボルト２４を挿通する固定用孔２６ａを備える固定部２６が基端部に形成され、中間部には、固定用孔２６と直交して互いを締め付けて連結する雌ねじが形成された上下２つの連結用孔２７ａを備える対向部２７が形成され、先端部には、Ｖ字状の凹部が形成されてガイドレール１１の基端フランジ部１１ａの一方の側面部が装着できるレール装着部２８が形成してある。これと対応するレール固定ブロック２５ｂには、基端部には、固定部２６に当てられる当接部２９が形成され、中間部には、互いを締め付けて連結する雌ねじが形成された上下２つの連結用孔２７ａを備える対向部２７が形成され、先端部には、Ｖ字状の凹部が形成されてガイドレール１１の基端フランジ部１１ａの一方の側面部が装着できるレール装着部２８が形成してある。
【００２０】
このような仮設ガイドレールの取付金具２０では、建築物１の壁面５に、ガイドレール１１を設置すべき所定位置Ｌに対応して重りを付けた糸を垂らすこと等でけがいた後、壁面固定部材２２であるアンカーボルト２２ａを打ち込んで、取付金具基板２１の位置調整部２３の長孔２３ａを介して取付金具基板２１の金具固定軸部材２４が所定位置Ｌに対応するようにアンカーボルト２２ａで固定する。  
このとき、アンカーボルト２２ａが壁面５内の鉄筋と干渉する場合には、干渉しない位置に打ち込み、アンカーボルト２２ａをずらした分だけ位置調整部２３の長孔２３ａで取付位置を調整し、金具固定軸部材２４が所定位置Ｌに対応する位置となるようにする。  
こうして複数の取付金具基板２１を、例えば建築物１の各階に対応させるなど、一定間隔などで取り付け、金具固定軸部材２４が一直線上に配置されるようにする。
【００２１】
この後、レール固定部材２５のレール固定ブロック２５ａの固定用孔２６ａを介して金具固定軸部材２４にレール固定ブロック２５ａを緩く締め付けて固定する。そして、このレール固定ブロック２５ａにレール固定ブロック２５ｂを対向させ、連結用孔２７ａ，２７ａに先端部に雄ねじが形成された２本の連結用ボルト２７ｂをねじ込んで互いを緩く連結しておく。このとき、連結用ボルト２７ｂには、先端部にのみ雄ねじが形成してあり、レール固定ブロック２５ａ，２５ｂの両方の連結用孔２７ａ，２７ａに雌ねじが形成してあるので、レール固定ブロック２５ｂの連結を解放した状態でも連結用ボルト２７ｂがレール固定ブロック２５ａから抜け落ちることが防止される。
【００２２】
こうして一直線上に複数のレール固定部材２５が配置された状態で、仮設ガイドレール１１を１対のレール固定ブロック２５ａ、２５ｂのレール装着部２８,２８間に通すようにした後、各レール固定部材２５の連結用ボルト２７ｂを締め付けるとともに、金具固定軸部材２４への締め付けを行って仮設ガイドレール１１の取り付けが完了する。このとき、レール固定部材２５が金具固定軸部材２４に対して回動可能となっていることからレール固定部材２５の水平軸周りの回動が可能であり、向きを調整することができる。
【００２３】
次に、昇降体である作業用ケージ４に設けられるガイドローラ１２は、図３に側面状態を示すように、２個一組の溝付きのガイドローラ１２ａ，１２ａがローラ取付金具１２ｂにガイドレール１１のレール幅（Ｈ型材のフランジ１１ａ，１１ｂの幅）より広い間隔で取り付けられている。そして、２個一組のガイドローラ１２ａ、１２ａは上下に二組配置され、このためローラ取付金具１２ｂは、ガイドローラ取付部材１２ｃの上下に取り付けた取付軸１２ｄにそれぞれ取付ブッシュ１２ｅを介して揺動可能に取り付けられ、２個一組のそれぞれのガイドローラ１２ａ，１２ａを４５度揺動させて固定できるように、取付軸１２ｄおよび取付ブッシュ１２ｅにピン孔が形成してある。
【００２４】
これにより、２個一組のそれぞれのガイドローラ１２ａ，１２ａを水平に位置させて間隔を広くした状態から４５度揺動させると、２つのガイドローラ１２ａ，１２ａの溝でガイドレール１１を両側から挟むようになり、この状態でピン孔にピンを入れて固定することで、ガイドローラ１２がガイドレール１１に嵌合された状態で上下方向に沿って転動でき、左右および接近離反方向にはガイドできるようになる。
【００２５】
そして、ガイドローラ１２が上下に設けられたガイドローラ取付部材１２ｃは、上下方向に配置され、その中央部が、図３に示すように、壁面５と平行で水平な水平軸１２ｇを介して回動可能に第１連結部材１２ｈが取り付けられ、この第１連結部材１２ｈの基端部に壁面５に垂直な垂直軸１２ｉを介して第２連結部材１２ｊが連結され、この第２連結部材１２ｊの基端部に壁面５に垂直な垂直軸１２ｋを介して作業用ケージ４の前面に取り付けられる。
【００２６】
これにより、上下二組のガイドローラ１２ａ，１２ａと昇降体である作業用ケージ４とは、壁面５に対する間隔を一定に保持しながら水平軸１２ｇおよび２本の垂直軸１２ｉ、１２ｋで壁面５に対する２軸回りの回動を許容することができる。
【００２７】
したがって、この仮設ガイドレールの取付金具２０によれば、壁面５に沿って吊り下げられ少なくとも昇降する昇降体である作業用ケージ４をガイドする仮設ガイドレール１１の取付金具２０で、壁面５に取り付ける壁面固定部材２２に位置調整部２３を介して位置調整可能に取り付けられる取付金具基板２１と、この取付金具基板２１に垂直に突き出して固設される金具固定軸部材２４と、この金具固定軸部材２４に回動可能に取り付けられるとともに、仮設ガイドレール１１を挟んで固定するレール固定部材２５とからなり、複数の壁面固定部材２２の配設位置にかかわらず金具固定軸部材２４に固定される複数のレール固定部材２５を位置調整部２３と金具固定軸部材２４の軸周りの回動とで直線上に配設可能に構成してあるので、壁面固定部材２２を打ち込む場合に鉄筋などと干渉する場合でも壁面固定部材２２をずらして取付金具基板２１の位置調整部２３で位置を調整して取付金具基板２１を取り付けることができ、この取付金具基板２１を介してレール固定部材２５を固定することおよびこの取付金具基板２１の金具固定軸部材２４に回動可能にレール固定部材２５を取り付けることで、複数のレール固定部材２５に仮設ガイドレール１１を直線上に取り付けることができ、この仮設ガイドレール１１で揺れを防止しながら作業することができる。
【００２８】
また、この仮設ガイドレールの取付金具２０によれば、壁面固定部材２２を、壁面５に打ち込まれるアンカー部材２２ａとしてあるので、アンカー部材２２ａの打ち込み位置のずれなどがあっても複数の取付金具基板２１を位置調整して取り付けることができ、この取付金具基板２１の金具固定軸部材２４にレール固定部材２５を介して仮設ガイドレール１１を取り付けることで、この仮設ガイドレール１１を直線上に取り付けて揺れを防止しながら作業することができる。
【００２９】
さらに、この仮設ガイドレールの取付金具２０によれば、取付金具基板２１に設けられる位置調整部２３を、長孔２３ａで構成したので、位置調整部２３としての長孔２３ａによって簡単に取付位置を調整して取付金具基板２１を取り付けることができ、この取付金具基板２１の金具固定軸部材２４にレール固定部材２５を介して仮設ガイドレール１１を取り付けることで、この仮設ガイドレール１１を直線上に取り付けることができ、この仮設ガイドレール１１で揺れを防止しながら作業することができる。
【００３０】
次に、この発明の他の実施の形態について、図４および図５に基づいて説明する。  
この仮設ガイドレールの取付金具３０では、壁面５の取り付けに用いる壁面固定部材３１を、アンカーボルトに代え、壁面５の一部を挟んで固定するジャッキベース３１ａを用いて構成したものである。なお、すでに説明した仮設ガイドレールの取付金具２０と同一部分には、同一記号を記し、説明は省略する。
【００３１】
この壁面固定部材３１を構成するジャッキベース３１ａは、建築物１の壁面５に沿って配置される支柱部３２と、建築物１の壁面５側の固定に利用できる部分５ａの形状に合わせた壁面係止部３３と、建築物１の壁面５側の固定に利用できる部分５ａを挟むねじジャッキ部３４とで構成される。  
この取付金具３０の壁面固定部材３１を構成する支柱部３２は、横断面がコ字状の金属材で構成され、開口部を壁面側に配置するとともに、両側面に位置調整部２３を構成する複数の取付孔２３ｂが水平に貫通して形成してある。  
この支柱部３２の上端部には、壁面係止部３３が壁面５側に突出すように溶接して固設してあり、ねじジャッキ部３４は、支柱部３２の外側に沿ってスライドするスライド部３４ａを介して溶接してあり、スライド部３４ａを取付孔２３ｂを利用して固定することで、位置を調整でき、壁面係止部３３とねじジャッキ部３４の当て板３４ｂとの間隔を変えることができ、ハンドル部３４ｃを回すことで、締め付けることができるようになっている。
【００３２】
この仮設ガイドレールの取付金具３０では、取付金具基板３５が平板状の取付金具基板２１と異なり、壁面固定部材３１の支柱部３２の前面および両側面を覆うコ字状とされ、前面の中心部に金具固定軸部材２４を構成する金具取付ボルトが前方に突き出して溶接してあり、両側面部には、位置調整部２３の複数の取付孔２３ｂの２つを利用して固定する貫通孔が形成され、２本のボルト・ナットで固定するようにしてある。  
なお、このような取付金具基板３５の金具固定軸部材２４に取り付けて仮設ガイドレール１１を挟んで固定するレール固定部材２５は、既に説明したものがそのまま用いられる。
【００３３】
このように構成した仮設ガイドレールの取付金具３０では、壁面固定部材３１を建築物の壁面５の一部で挟んで固定に利用できる部分５ａ、例えばベランダの手摺の下部の壁面や階段の手摺下部の壁面に、支柱部３２に取付けた壁面係止部３３を壁面５ａの上端面および裏面に係止するとともに、支柱部３２に取り付けたねじジャッキ部３４の当て板部３４ｂを壁面５ａ下面に当てるように配置した後、ハンドル部３４ｃを操作してねじジャッキ部３４で締め付けて固定する。  
このとき、ジャッキベース３１ａを取り付ける壁面５ａが、例えば、図６にレール固定部材を省略して示すように、階段の手摺下部のように傾斜している場合、仮設ガイドレール１１を設置すべき所定位置Ｌに対してジャッキベース３１ａが傾いた状態で締め付けられるが、ジャッキベース３１ａの締付位置と取付金具基板３５を位置調整部２３の複数の取付孔２３ｂによる位置調整とで傾斜の影響を受けることなく、金具固定軸部材２４を所定位置Ｌに対応して設置することができ、この金具固定軸部材２４にレール固定部材２５を固定することで、仮設ガイドレール１１を鉛直に設置することができる。
【００３４】
この仮設ガイドレールの取付金具３０を用いる仮設ガイドレール１１の壁面５の一部５ａへの設置手順は、アンカーボルトの打ち込みに替え、ジャッキベースを用いて締め付ければ良く、その後の手順の説明は省略する。  
この仮設ガイドレールの取付金具３０によっても、壁面固定部材３１が傾斜部分５ａで傾く場合でも取付金具基板３５を位置調整部２３で位置を調整して取り付けることができ、この取付金具基板３５を介してレール固定部材２５を固定することおよびこの取付金具基板３５の金具固定軸部材２４に回動可能にレール固定部材２５を取り付けることで、複数のレール固定部材２５に仮設ガイドレール１１を直線上に取り付けることができ、この仮設ガイドレール１１で揺れを防止しながら作業することができる。
【００３５】
また、この仮設ガイドレールの取付金具３０によれば、壁面固定部材３１を壁面５の一部５ａを挟んで固定されるジャッキベース３１ａとしたので、ジャッキベース３１ａに傾きなどがあっても複数の取付金具基板３５を位置調整して取り付けることができ、この取付金具基板３５の金具固定軸部材２４にレール固定部材２５を介して仮設ガイドレール１１を取り付けることで、この仮設ガイドレール１１を直線上に取り付けて揺れを防止しながら作業することができる。
【００３６】
さらに、この仮設ガイドレールの取付金具３０によれば、取付金具基板３５を位置調整部２３の複数の取付孔２３ｂに取り付ける構成としてあるので、位置調整部２３としての複数の取付孔２３ｂによって簡単に取付位置を調整して取付金具基板３５を取り付けることができ、この取付金具基板３５の金具固定軸部材２４にレール固定部材２５を介して仮設ガイドレール１１を取り付けることで、この仮設ガイドレール１１を直線上に取り付けることができ、この仮設ガイドレール１１で揺れを防止しながら作業することができる。
【符号の説明】
【００３７】
１  建築物
２  屋上
３  ワイヤロープ
４  作業用ケージ（昇降体）
５  壁面
５ａ  固定利用部
６  カウンタウエイト
７  台車式支持装置
８  巻上機
１０  壁面作業用のゴンドラ装置
１１  仮設ガイドレール
１２  ガイドローラ
１２ａ  ガイドローラ
１２ｂ  ローラ取付金具
１２ｃ  ガイドローラ取付部材
１２ｄ  取付軸
１２ｅ  取付ブッシュ
１２ｇ  水平軸
１２ｈ  第１連結部材
１２ｉ  垂直軸
１２ｊ  第２連結部材
１２ｋ  垂直軸
２０  仮設ガイドレールの取付金具
２１  取付金具基板
２２  壁面固定部材
２２ａ  アンカーボルト
２３  位置調整部
２３ａ  長孔
２３ｂ  複数の取付孔
２４  金具固定軸部材
２５  レール固定部材
２５ａ  レール固定ブロック
２５ｂ  レール固定ブロック
２６  固定部
２６ａ  固定用孔
２７  対向部
２７ａ  連結用孔
２７ｂ  連結用ボルト
２８  レール装着部
２９  当接部
３０  仮設ガイドレールの取付金具
３１  壁面固定部材
３１ａ  ジャッキベース
３２  支柱部
３３  壁面係止部
３４  ねじジャッキ部
３４ａ  スライド部
３４ｂ  当て板部
３４ｃ  ハンドル部
３５  取付金具基板
Ｌ  所定位置
【図１】
0005584871.tif 000002
【図２】
0005584871.tif 000003
【図３】
0005584871.tif 000004
【図４】
0005584871.tif 000005
【図５】
0005584871.tif 000006
【図６】
0005584871.tif 000007